(57)【要約】【課題】使用者は所定空間に投影される操作画面上で簡単に操作することができ、かつ使用者は姿勢を変えずに楽な姿勢で操作することもできるマッサージ機を提供することを目的とする。【解決手段】使用者が着座する座部と、使用者が凭れる背凭れ部と、使用者にマッサージを行うマッサージ部と、前記マッサージ部を制御する制御部と、を備えたマッサージ機において、前記マッサージ機から所定距離離れた所定空間に前記マッサージ部を操作する操作画面を投影する画面出力部と、前記所定空間に投影される操作画面の位置情報を算出し、当該位置情報に基づいて当該操作画面上における操作位置を特定することで、操作入力を可能とする操作入力部と、を有し、前記制御部は、前記操作入力部の入力内容に基づいた前記マッサージ部を制御する。【選択図】      図６
2019208144.tif 000002
【特許請求の範囲】
【請求項１】
使用者が着座する座部と、
使用者が凭れる背凭れ部と、
使用者にマッサージを行うマッサージ部と、
前記マッサージ部を制御する制御部と、を備えたマッサージ機において、
前記マッサージ機から所定距離離れた所定空間に前記マッサージ部を操作する操作画面を投影する画面出力部と、
前記所定空間に投影される操作画面の位置情報を算出し、当該位置情報に基づいて当該操作画面上における操作位置を特定することで、操作入力を可能とする操作入力部と、を有し、
前記制御部は、前記操作入力部の入力内容に基づいた前記マッサージ部を制御することを特徴とするマッサージ機。
【請求項２】
前記画面出力部は、操作画面を投影する投影部と、前記投影部から前記所定空間とは異なる方向に投影する操作画面を前記所定空間に変換して投影する投影変換部と、を有することを特徴とする請求項１に記載のマッサージ機。
【請求項３】
前記画面出力部は、前記投影変換部の位置を調整する調整部を有することを特徴とする請求項２に記載のマッサージ機。
【請求項４】
前記画面出力部は、前記投影部と前記投影変換部の間に前記投影部により投影される操作画面の画面サイズを変更可能な変更部を有することを特徴とする請求項２又は３に記載のマッサージ機。
【請求項５】
前記操作入力部は、前記操作画面上で操作したことを検出するモーションセンサとカメラの少なくともいずれかを有することを特徴とする請求項１〜４のいずれかに記載のマッサージ機。
【請求項６】
前記座部に対して前記背凭れ部をリクライニング可能な駆動部と、
前記背凭れ部の左右側部から前方へ立設した側壁部と、を有し、
前記側壁部に前記画面出力部及び前記操作入力部を設けていることを特徴とする請求項１〜５のいずれかに記載のマッサージ機。
【発明の詳細な説明】
【技術分野】
【０００１】
本発明はマッサージ機に関する。
【背景技術】
【０００２】
従来、ユーザーが横臥姿勢や横臥姿勢に近いリクライニング状態の姿勢になっているときでも、リモートコントローラを容易に操作できるマッサージ機が提案されている。（例えば、特許文献１参照。）
【先行技術文献】
【特許文献】
【０００３】
【特許文献１】特開２００６−１６７０２０号公報
【発明の概要】
【発明が解決しようとする課題】
【０００４】
上記特許文献１に開示されたマッサージ機は、撮影機が投影した操作画面とコントローラとが別々に配置されおり、使用者は操作画面とは離れた位置に設けられた操作入力手段によりポインタ操作を行い画面操作するため、画面操作に慣れていない使用者は操作が難しいという問題があります。そこで、本発明は、上述した問題を解消するためになされたものであり、使用者は所定空間に投影される操作画面上で簡単に操作することができ、かつ使用者は姿勢を変えずに楽な姿勢で操作することもできるマッサージ機を提供することを目的とする。
【課題を解決するための手段】
【０００５】
本発明は、使用者が着座する座部と、使用者が凭れる背凭れ部と、使用者にマッサージを行うマッサージ部と、前記マッサージ部を制御する制御部と、を備えたマッサージ機において、前記マッサージ機から所定距離離れた所定空間に前記マッサージ部を操作する操作画面を投影する画面出力部と、前記所定空間に投影される操作画面の位置情報を算出し、当該位置情報に基づいて当該操作画面上における操作位置を特定することで、操作入力を可能とする操作入力部と、を有し、前記制御部は、前記操作入力部の入力内容に基づいた前記マッサージ部を制御することを特徴とする。
このような構成とすることにより、使用者は所定空間に投影される操作画面上で簡単に操作することができ、かつ使用者は姿勢を変えずに楽な姿勢で操作することもできる。
【０００６】
また、前記画面出力部は、操作画面を投影する投影部と、前記投影部から前記所定空間とは異なる方向に投影する操作画面を前記所定空間に変換して投影する投影変換部と、を有することが好ましい。
このような構成とすることにより、異なる方向に投影する操作画面を所定空間に投影することができる。
【０００７】
また、前記画面出力部は、前記投影変換部の位置を調整する調整部を有することが好ましい。
このような構成とすることにより、所定空間に投影される操作画面の位置を調整することができる。
【０００８】
また、前記画面出力部は、前記投影部と前記投影変換部の間に前記投影部により投影される操作画面の画面サイズを変更可能な変更部を有することが好ましい。
このような構成とすることにより、所定空間に投影される操作画面の画面サイズを変更することができる。また、画面のサイズを変更することなく、投影部の大きさを変更することができる。例えば、投影部から投影される画面サイズが小さい操作画面を拡大して所定空間に投影することができる。
【０００９】
また、前記操作入力部は、前記操作画面上で操作したことを検出するモーションセンサとカメラの少なくともいずれかを有することが好ましい。
このような構成とすることにより、操作画面上で操作することで操作入力を行うことができる。
【００１０】
また、前記座部に対して前記背凭れ部をリクライニング可能な駆動部と、前記背凭れ部の左右側部から前方へ立設した側壁部と、を有し、前記側壁部に前記画面出力部及び前記操作入力部を設けていることが好ましい。
このような構成とすることにより、リクライニングより使用者の姿勢が変更しても使用者の目の前に操作画面を投影することができる。また、左右の側壁部に対して各々に画面出力部と操作入力部を設けることで使用者の目の前に複数の異なる操作画面も投影することができる。例えば、左側の操作画面には映画やテレビ番組等の画面を投影し、右側の操作画面にはマッサージ機の操作画面を投影することができる。
【発明の効果】
【００１１】
本発明によれば、使用者は所定空間に投影される操作画面上で簡単に操作することができ、かつ使用者は姿勢を変えずに楽な姿勢で操作することもできる。
【図面の簡単な説明】
【００１２】
【図１】本発明の第１実施形態に係るマッサージ機の正面斜視図である。
【図２】本発明の第１実施形態に係るマッサージ機の模式図である。
【図３】マッサージ機の機能ブロック図である。
【図４】マッサージ機の姿勢を説明する側面図である。
【図５】マッサージユニットの正面図である。
【図６】背凭れ部を示す図であり、(ａ)は背凭れ部の平面図であり、側壁部内に設けられた画面出力部の調整部での位置調整前の状態、（ｂ）は背凭れ部の平面図であり、側壁部内に設けられた画面出力部の調整部での位置調整後の状態を示している。
【図７】背凭れ部を示す図であり、(ａ)は背凭れ部の平面図であり、操作画面を大きくした状態、（ｂ）は背凭れ部の平面図であり、操作画面を小さくした状態を示している。
【発明を実施するための形態】
【００１３】
［第１実施形態に係るマッサージ機の構成］
以下、本発明の第１実施形態に係るマッサージ機１の全体構成について説明する。図１は本発明の第１実施形態に係るマッサージ機１の正面斜視図である。図２は本発明の第１実施形態に係るマッサージ機１の模式図である。図３はマッサージ機１の機能ブロック図である。図４はマッサージ機１の姿勢を説明する側面図である。図５はマッサージユニット８の正面図である。
なお、以下の説明で用いる方向の概念は、図１に示すマッサージ機１に着座した使用者から見たときの方向の概念と一致するものとし、その他の場合は適宜説明するものとする。また、身体の表裏の定義については、起立した使用者の胸側を「表面」、背中側を「背面」として説明する。
【００１４】
［マッサージ機の全体構成］
図１〜図４に示すとおり、本発明の第１実施形態に係るマッサージ機１は、主として、使用者が着座する座部２と、座部２の後部にリクライニング可能に設けられた使用者が凭れる背凭れ部３と、座部２の前部に上下揺動可能に設けられた使用者の下肢を支持するフットレスト４と、背凭れ部３の上部前面に設けられた使用者の頭及び／又は首を支持する枕部５と、座部２の左右両側には肘掛け部６と、背凭れ部３の左右両側には側壁部７と、を有している。座部２、背凭れ部３、フットレスト４、枕部５、及び肘掛け部６は、使用者の身体を支持する身体支持部として機能する。身体支持部２〜６の各所には、使用者の身体に対してマッサージを行う後述するエアセル２０や後述するバイブレータ２１によるマッサージ部１５が設けられている。また、マッサージ機１は、背凭れ部３に揉みマッサージ及び／又は叩きマッサージを行うマッサージ部１５としてのマッサージユニット８と、マッサージ機１の各動作を制御する制御部９と、後述する使用者に各種操作を行わせるコントローラ１０と、マッサージ機１から所定距離離れた所定空間Ｓにマッサージ部１５を操作する操作画面２３ｅを投影する画面出力部２３と、後述する所定空間Ｓに投影される操作画面２３ｅの位置情報を算出し、当該位置情報に基づいて当該操作画面２３ｅ上における操作位置を特定することで、操作入力を可能とする操作入力部２４と、を有している。尚、所定空間Ｓに投影される操作画面２３ｅは実体のない物である。
【００１５】
図１，図３及び図４に示すとおり、背凭れ部３は、座部２の下方に設けられた第一アクチュエータ１１（図３参照）により、座部２に対して前後にリクライニング可能に構成されており、図１に示す起立姿勢から背凭れ面が略水平となるリクライニング姿勢（図４参照）まで変更可能となっている。なお、肘掛け部６は背凭れ部３のリクライニングに連動して後方へ移動し、背凭れ部３の起立に連動して前方へ移動するよう構成されている。フットレスト４は、座部２の下方に設けられた第二アクチュエータ１２（図３参照）により、座部２に対して上下に揺動可能に構成されており、図１に示す垂下姿勢から膝を伸ばした状態で下腿及び足部が支持される上昇姿勢（図４参照）まで変更可能となっている。
【００１６】
図２，図３に示すとおり、座部２の下方には、エアセル２０よりなる各マッサージ部ａ１，ａ３〜ａ８に対してエアを給排気するポンプ１３ａ及びバルブ１３ｂを有する給排気装置１３と、前述した制御部９と、が設けられている。各マッサージ部ａ１，ａ３〜ａ８と同じ場所にモータにより駆動されるバイブレータ２１を設けてもよい。エアセル２０は、エアを給排気することで使用者を押圧することができる。バイブレータ２１は、偏心分銅が回転することで使用者に振動を与えることができる。制御部９は、プログラマブルなマイコン等を有しており、各アクチュエータ１１，１２、マッサージ部１５、及び給排気装置１３を駆動制御する。制御部９には、後述するコントローラ１０や記憶部５０や後述する画面出力部２３や後述する操作入力部２４が電気的に接続されている。マッサージ機１は、記憶部５０に記憶された所定のプログラム（マッサージコース）に従ってマッサージ部１５を動作させる他、後述する使用者によるコントローラ１０や操作入力部２４からの指示に従って動作する。
【００１７】
［座部の構成］
図１〜３に示すとおり、座部２の左右両側には、使用者の臀部及び／又は大腿部の外側面に対向して設けられた壁部２２が設けられている。この壁部２２は、座部の側方において上方へ立設されている。そして、壁部２２の内側面には、臀部及び／又は大腿部の外側面をマッサージする臀部マッサージ部ａ４が設けられている。座部２の左右両側の肘掛け部６の内側壁を壁部２２として利用してもよく、臀部マッサージ部ａ４を肘掛け部の内側壁に設ければよい。また、座部２には、使用者の臀部及び／又は大腿部を下方（背面）からマッサージする臀部マッサージ部ａ５が設けられていてもよい。臀部マッサージ部ａ４，ａ５は、エアの給排気により膨張収縮するエアセル２０により構成されている。このように、臀部マッサージ部ａ４は左右で対をなしてマッサージ部群Ａ４を構成し、臀部マッサージ部ａ５は左右で対をなしてマッサージ部群Ａ５を構成している。
【００１８】
［背凭れ部の構成］
図１〜図３に示すとおり、背凭れ部３は、硬質の背フレーム３ａと、背フレーム３ａに組み付けられたマッサージ部１５であるマッサージユニット８の昇降をガイドするガイドレール１８と、背フレーム３ａを被覆するカバー部材３ｃと、により構成されている。背フレーム３ａは、金属部材及び／又は樹脂部材により構成されている。また、背フレーム３ａは、左右中央に形成された前後方向に開口する開口部３ｂを有し、正面視で略門型をなしている。また、カバー部材３ｃは、開口部３ｂを前方から覆っている。マッサージユニット８の施療子６２（図５参照）が開口部３ｂより前方へ突出しており、カバー部材３ｃを介して使用者の胴体を後方からマッサージできるようになっている。
【００１９】
［マッサージユニットの構成］
以下、マッサージユニット８の構成について説明する。
図１〜図３，図５に示すとおり、背凭れ部３には、使用者の上半身を後方（背面）からマッサージするマッサージユニット８が設けられている。このマッサージユニット８は、身長方向に沿って複数（本実施形態では１つ）設けられていてもよい。このマッサージユニット８は、左右で対をなすアーム６１と、アーム６１の上下両端部に設けられた施療子６２と、により構成されており、マッサージモータＭ１，Ｍ２の駆動により左右の施療子６２が近接離反する揉みマッサージ、及び左右の施療子６２が交互に使用者側へ進退する叩きマッサージを行わせることができる。また、マッサージユニット８は、昇降モータＭ３の駆動により身長方向に沿って上方又は下方へ移動して、身体に対する位置を変更したり、ローリングマッサージを行わせたりすることができる。背フレーム３ａには、身長方向に延設された左右で対をなすガイドレール１８が設けられており、マッサージユニット８はガイドレール１８に沿って移動する。マッサージユニット８が身長方向に移動可能であるため、使用者の首から腰の間を施療子６２でマッサージすることができる。
【００２０】
図５に示すとおり、マッサージユニット８は、ベースフレーム６０ａと、ベースフレーム６０ａに支持された可動フレーム６０ｂと、を有している。ベースフレーム６０ａは、その左右両側においてガイドレール１８に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル２０ａよりなる進退手段６５が設けられている。進退手段６５であるエアセル２０ａを膨張収縮させて、可動フレーム６０ｂは揺動軸６４を中心として前後方向に進退することができ、使用者の特定部位を進退させることができる。なお、可動フレーム６０ｂを進退させる構造でなくてもよく、アーム６１に進退手段６５を設けてアーム６１のみを進退させる構造であってもよい。
【００２１】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２２】
アーム６１は、前後方向に揺動自在であり、上側の施療子６２が前方へ突出するようにバネ等よりなる付勢手段（図示せず）により付勢されている。また、マッサージユニット８は、使用者の身体の特定部位を検出する検出手段であるセンサ６９を有している。このセンサ６９は、アーム６１が所定の揺動位置となったことを検出することで身体情報を得ることができる。具体的に説明すると、マッサージユニット８を身長方向に沿って上昇させる過程で、上側の施療子６２が肩の上方に到達すると、施療子６２に作用する負荷が解除されて、アーム６１が前方へ揺動して所定の揺動位置となる。アーム６１が所定の揺動位置となったことをセンサ６９が検出し、その際のマッサージユニット８の上下位置に基づいて肩の位置を検出する。肩の位置を基準として、その他の部位（首、背中、腰等）の位置を計算により求める。検出された身体情報は記憶部５０に記憶される。このようにすることで、使用者の特定部位（首、肩、背中、腰等）に対してマッサージを行うことができる。
【００２３】
［枕部の構成］
図１〜図３に示すとおり、背凭れ部３の上部前面には、使用者の頭及び／又は首を支持する枕部５が設けられている。枕部５の前面には、頭及び／又は首の後面に対向して設けられた左右で対をなす頭部マッサージ部ａ１が設けられている。頭部マッサージ部ａ１は、エアの給排気により膨張収縮するエアセル２０により構成されている。このように、頭部マッサージ部ａ１は、左右で対をなしてマッサージ部群Ａ１を構成している。この頭部マッサージ部ａ１は、頭及び／又は首の外側面に対向して設けてもよい。この場合は、前方へ立設された壁部（図示せず）の内側面に設けるとよい。また、頭部マッサージ部ａ１は、枕部５に設けるのではなく、背凭れ部３の上部前面に直接設けてもよい。
【００２４】
［肘掛け部の構成］
図１〜図３に示すとおり、座部２の左右両側には、使用者の手先と前腕を支持する肘掛け部６が設けられている。肘掛け部６の手先と前腕の上下方向には、腕マッサージ部ａ３が設けられている。腕マッサージ部ａ３は、エアの給排気により膨張収縮するエアセル２０により構成されている。このように、腕マッサージ部ａ３は、左右で対をなしてマッサージ部群Ａ３を構成している。
【００２５】
［フットレストの構成］
図１〜図３に示すとおり、フットレスト４は、使用者の下腿を支持する左右一対の脚支持部４０と、使用者の足部を支持する左右一対の足支持部４１と、を有している。脚支持部４０は、使用者の下腿の背面に対向して設けられた底壁４０ａと、底壁４０ａの左右両端から前方に向かって立設された側壁４０ｂと、底壁４０ａの左右中央から前方に向かって立設された中央壁４０ｃと、を有している。
【００２６】
側壁４０ｂの内側面には、下腿の外側面をマッサージする脚マッサージ部ａ６が設けられている。中央壁４０ｃの両外側面には、下腿の内側面をマッサージする脚マッサージ部ａ６が設けられている。また、底壁４０ａには、使用者の下腿の背面からマッサージする脚マッサージ部ａ７が設けられている。脚マッサージ部ａ６，ａ７は、エアの給排気により膨張収縮するエアセル２０により構成されている。脚マッサージ部ａ６は、下腿の内側面に対向する脚マッサージ部ａ６と、下腿の外側面に対向する脚マッサージ部ａ６、により左右で対をなしてマッサージ部群Ａ６を構成している。脚マッサージ部ａ７は、中央壁４０ｃを挟んで左側の下腿の背面に対向する脚マッサージ部ａ７と、中央壁４０ｃを挟んで右側の下腿の背面に対向する脚マッサージ部ａ７と、により左右で対をなしてマッサージ部群Ａ７を構成している。
【００２７】
足支持部４１は、使用者の足裏を置く底壁４１ａと、底壁４１ａの左右両端から上方に向かって立設された側壁４１ｂと、底壁４１ａの左右中央から上方に向かって立設された中央壁４１ｃと、底壁４１ａの後部から上方へ立設された足部の背面（踵付近）に対向する後壁４１ｄと、を有している。各壁４１ａ〜４１ｄより上方及び前方が開口した凹部４２が形成されており、凹部４２に足部を収容できるようになっている。
【００２８】
各壁４１ａ〜４１ｃには、使用者の足をマッサージする足マッサージ部ａ８が設けられ、左右で対をなしてマッサージ群Ａ８を構成している。足マッサージ部ａ８は、エアの給排気により膨張収縮するエアセル２０により構成されている。
【００２９】
[コントローラの構成]
図１〜図４に示すとおり、肘掛け部６の上部にはコントローラ１０が備えられており、使用者が着座した状態で操作することができる。このコントローラ１０は、使用者が目視で確認できる画面１０ａと、使用者が画面１０ａ上を指先操作するタッチパネル１０ｂと、画面１０ａの表示内容を音声で出力するスピーカー３３ａを有している。なお、スピーカー３３ａはコントローラ１０が有していると説明したが、これに限定されなく、前述した背凭れ部３の上部（使用者が着座した時の耳周辺）や前述した枕部５に設けてもよい。また、コントローラ１０を操作することにより、リクライニングさせて背凭れ部３の姿勢を変更することができ、上下に揺動させてフットレスト４の姿勢を変更することができる。また、動作させるマッサージユニット８，各マッサージ部ａ１，ａ３〜ａ８を選択したり、マッサージユニット８，各マッサージ部ａ１，ａ３〜ａ８の動作（手技又は強さ等）を変更したりすることもできる。タッチパネル１０ｂによる操作の代わりに、コントローラ１０内に配置した物理ボタン３１のみやコントローラ１０内に設置されたマイク（図示せず）を使った音声認識部３２による操作のみであってもよい。このようにすることで、使用者は容易に選択することができる。なお、音声認識部３２であるマイク（図示せず）をコントローラ１０内ではなく、背凭れ部３の上部や枕部５に設置してもよい。このようにすることで、使用者はわざわざ姿勢を変えなくても背凭れ部３に凭れたまま、音声認識部３２で選択を行うことができる。また、コントローラ１０の画面１０ａに表示されるマッサージ部１５を操作する操作画面２３ｅと同様画面を、使用者が着座した際の目の前に位置するマッサージ機１から所定距離離れた所定空間Ｓに、側壁部７に設けられた画面出力部２３から投影することができる。また、側壁部７に設けられた操作入力部２４により所定空間Ｓに投影される操作画面２３ｅ上を指先操作することで上述したタッチパネル１０ｂと同様の操作を行うことができる。肘掛け部６の上部に設けられたコントローラ１０がなくても、使用者は所定空間Ｓに投影される操作画面２３ｅ上で簡単に操作することができ、かつ使用者は姿勢を変えずに楽な姿勢で操作することができる。
【００３０】
［側壁部の構成］
図６は、背凭れ部３を示す図であり、(ａ)は背凭れ部３の平面図であり、左側の側壁部７に設けられた画面出力部２３の調整部２３ｃでの位置調整前の状態、（ｂ）は背凭れ部３の平面図であり、左側の側壁部７に設けられた画面出力部２３の調整部２３ｃでの位置調整後の状態を示している。
図７は、背凭れ部３を示す図であり、(ａ)は背凭れ部３の平面図であり、操作画面２３ｅを大きくした状態、（ｂ）は背凭れ部３の平面図であり、操作画面２３ｅを小さくした状態を示している。
【００３１】
図１〜図３、図６〜図７に示すとおり、背フレーム３ａ（背凭れ部３）の左右両側には、使用者の肩又は上腕の外側面に対向して設けられた側壁部７が設けられている。この側壁部７は、背凭れ部３の側方において前方へ立設されている。そして、側壁部７には前述した画面出力部２３と操作入力部２４が設けられている。図６〜７は左側の側壁部７だけを示しているが、右側の側壁部７も同様の構成である。図６〜７に示すとおり、画面出力部２３は操作画面２３ｅを投影する投影部２３ａと投影部２３ａから所定空間Ｓとは異なる方向に投影する操作画面２３ｅを所定空間Ｓに変換して投影する投影変換部２３ｂを有している。投影部２３ａは、例えば、操作画面２３ｅと同じ映像を出力する液晶ディスプレイ等で構成されていることが好ましい。投影変換部２３ｂは、例えば、透明プラスチック又はガラス等のプレートで構成されていることが好ましい。側壁部７の内部には操作画面２３ｅを投影する投影部２３ａが設けられ、投影部２３ａは側壁部７の内部から左右方向内側に向かって操作画面２３ｅを所定空間Ｓとは異なる方向に投影する。側壁部７の内側面には投影部２３ａから投影する操作画面２３ｅを所定空間Ｓに変換する変換投影部２３ｂが設けられている。変換投影部２３ｂは側壁部７の内部の投影部２３ａから投影する画面を変換投影部２３ｂを間に挟んだ反対側の所定空間Ｓに、透過して反射するように変換して投影することができる。このようにすることで、投影部２３ａから異なる方向に投影する操作画面２３ｅを所定空間Ｓに投影することができる。
【００３２】
図６に示すとおり、画面出力部２３は投影変換部２３ｂの位置を調整する調整部２３ｃを有している。具体的には、調整部２３ｃはヒンジ構造を用いて、ヒンジ構造の一方を側壁部７に取り付け、他方を投影変換部２３ｂに取り付けることで、側壁部７に対して投影変換部２３ｂを回動させて位置調整を行うことができる。例えば、図６（ａ）に示すように、調整部２３ｃで投影変換部２３ｂを外側に傾斜するように調整することで、使用者が着座した状態から見た場合、所定空間Ｓを左側に位置するようにして操作画面２３ｅの位置を調整することができ、図６（ｂ）に示すように、調整部２３ｃで投影変換部２３ｂの位置を調整することで、使用者が着座した状態から見た場合、所定空間Ｓを中央に位置するようにして、操作画面２３ｅを使用者の正面に投影することができる。
【００３３】
図６〜７に示すとおり、操作入力部２４は変換投影部２３ｂに設けられている。操作入力部２４は操作画面２３ｅ上で操作した動きを検出するモーションセンサや操作画面２３ｅ上で操作した操作内容を画像として撮影するカメラの少なくともいずれかであり、画面出力部２３から所定空間Ｓに投影される操作画面２３ｅの位置情報を算出し、操作画面２３ｅ上での使用者の操作を位置情報に基づいて操作位置を特定し、操作入力を可能とすることができる。例えば、所定空間Ｓに投影される操作画面２３ｅの位置情報を操作入力部２４は算出して記憶し、操作画面２３ｅ上のどの位置にある操作ボタンが何を行う操作ボタンかを特定する。操作入力部２４は使用者の指先又はその他が操作画面２３ｅ上の操作位置で動いたことを検知や、操作画面２３ｅ上の操作位置で操作した画像を撮影することで、どの操作を行ったかを特定して、操作入力を行う。その後、制御部９は操作入力部２４の操作入力の内容に基づいたマッサージ部１５を制御する。このようにすることで所定空間Ｓに投影される操作画面２３ｅ上でマッサージ部１５を操作することができる。
【００３４】
図７に示すとおり、画面出力部２３は投影部２３ａと投影変換部２３ｂの間に投影部２３ａにより投影される操作画面２３ｅの画面サイズを変更可能な変更部２３ｄを有している。側壁部７の内部に操作画面２３ｅを投影する投影部２３ａが設けられ、投影部２３ａから投影される操作画面２３ｅは、変更部２３ｄに投影されて拡大される。具体的には、変更部２３ｄは凸レンズと凹レンズを組み合わせた拡大レンズであり、投影部２３ａと変更部２３ｄとの間の焦点距離を変更することで、投影部２３ａから投影する操作画面２３ｅの画面サイズを変更することができる。変更部２３ｄとして、凸レンズと凹レンズを組み合わせ、凸レンズを通過する光を凹レンズに通すことにより、平行光に変換されるため、投影される操作画面２３ｅの歪みを解消することができる。本実施形態では、変更部２３ｄとして凸レンズと凹レンズを組み合わせる構成としたが、これに限られず種々の形態が考えられ、例えば、非球面凸レンズを用いることで、凹レンズを設けずとも操作画面２３ｅの歪みを解消することができる。例えば、図７（ａ）に示すように、投影部２３ａと変更部２３ｄとの間の焦点距離を短くすることで操作画面２３ｅの画面サイズを大きくすることができる。一方、図７（ｂ）に示すように、投影部２３ａと変更部２３ｄとの間の焦点距離を長くすることで操作画面２３ｅの画面サイズを小さくすることができる。図７に示すように、変更部２３ｄを設けることにより、投影部２３ａを小さくしても、操作画面２３ｅを拡大して適切な大きさで投影することができる。
【００３５】
図１、図６〜７に示すとおり、側壁部７に画面出力部２３と操作入力部２４を設けることで、前述した第一アクチュエータ１１よって、背凭れ部３が起立姿勢（図４参照）からリクライニング姿勢（図４参照）と異なる姿勢に変わったとしても、使用者は視線を変えることなく、操作画面２３ｅを使用者の目の前の所定空間Ｓに投影することができる。
【００３６】
前述では、左側の側壁部７に画面出力部２３と操作入力部２４を設けたが、右側の側壁部７に設けてもよい。左右の側壁部７に画面出力部２３と操作入力部２４を設けることで、左右異なる操作画面２３ｅを所定空間Ｓに投影することができる。例えば、右側の所定空間Ｓにマッサージ機１の操作画面２３ｅを投影し、左側の所定空間Ｓには映画、テレビ番組等の別の操作画面２３ｅを投影してもよい。このようにすることで、マッサージ部１５の操作をしてマッサージを行いながら、映画やテレビ番組を見ることもできる。
【００３７】
［他の実施形態］
また、本発明のマッサージ機１は、図示する形態に限らず、この発明の範囲内において他の形態のものであっても良い。
例えば、前述した実施形態では、側壁部７に画面出力部２３と操作入力部２４を設けたが、これを別の箇所に設けてもよい。例えば、背凭れ部３の上部から前方に立設する壁部を設け、当該壁部に画面出力部２３と操作入力部２４を設けてもよい。このようにすることで、側壁部７にはマッサージ部１５の設けることもでき、かつ所定空間Ｓに操作画面２３ｅを投影することができる。
また、変換投影部２３ｂを複数枚設けて、複数の変換投影部２３ｂを介して所定空間Ｓに操作画面２３ｅを投影してもよい。
【００３８】
また、前述した実施形態では、画面出力部２３を液晶ディスプレイ等により構成された投影部２３ａと、透明プラスチック又はガラス等のプレートで構成された投影変換部２３ｂと、により構成したが、この投影変換部２３ｂを省略し、水蒸気等のミストを発生させるミスト発生器（図示せず）を設けて構成してもよい。すなわち、画面出力部２３を前述した投影部２３ａとミスト発生部とにより構成することも可能である。この場合、ミスト発生部により所定空間Ｓにミストを吹き付け、ミストが発生している所定空間Ｓに対して投影部２３ａから映像を照射することで、所定空間Ｓに操作画面２３ｅを投影することができる。ミスト発生部は側壁部７に設けることが好ましい。
【産業上の利用可能性】
【００３９】
本発明は、使用者は所定空間に投影される操作画面上で簡単に操作することができ、かつ使用者は姿勢を変えずに楽な姿勢で操作することもできるマッサージ機に適用することができる。
【符号の説明】
【００４０】
１  マッサージ機
２  座部
３  背凭れ部
７  側壁部
８  マッサージユニット（マッサージ部）
９  制御部
１５  マッサージ部
２０  エアセル（マッサージ部）
２１  バイブレータ（マッサージ部）
２３  画面出力部
２４  操作入力部
Ｓ  所定空間
【図１】
2019208144.tif 000003
【図２】
2019208144.tif 000004
【図３】
2019208144.tif 000005
【図４】
2019208144.tif 000006
【図５】
2019208144.tif 000007
【図６】
2019208144.tif 000008
【図７】
2019208144.tif 000009